(57)【特許請求の範囲】
【請求項１】
洗面台又は流し台等で使用し、レバーの操作で湯水の流量及び温度を調節するシングルレバー式水栓において、前記レバーは水栓の本体に装着する基部と、使用者が操作する際に摘むための操作部と、基部に対し操作部を回動自在に連結する接続部材とを備えたことを特徴とするシングルレバー式水栓。
【請求項２】
前記レバーの接続部材は、基部に装着した保持シートに密着し、操作部を結合した球体と、この球体を回動自在に連結するキャップと、球体とキャップの間に収納されるリングとを備え、操作部は基部に対し適宜の位置で保持されることを特徴とする請求項１記載のシングルレバー式水栓。
【発明の詳細な説明】
【０００１】
【発明の属する技術分野】
本発明は、洗面台又は流し台等で使用するシングルレバー式水栓に関するものである。
【０００２】
【従来の技術】
近年、レバーの操作で湯水の吐水，止水，流量調節及び温度調節を行なうようにしたシングルレバー式水栓が普及している。図５はこの種のシングルレバー式水栓を示したものである。この水栓２１は洗面台や流し台の天板２０に取り付けられ、本体２２に吐水管２３を回転自在に装着し、その先端に湯水を吐水する吐水口２４を設け、本体２２の上部にはレバー２５を装着し、このレバー２５を上下方向に回動操作することで、吐水管２３の吐水口２４から吐水される湯水の吐水，止水及び流量調節を行ない、また左右方向に回動操作することで、湯水の温度調節を行なうものである。
【０００３】
この種のシングルレバー式水栓においては、レバーは止水状態では天板と水平方向となるように設定したり、または本体に装着した基端から使用者が操作する先端に向けて上方に傾斜するように設定し、水栓から湯水を吐水する際に、レバーの先端を指で摘んで上下方向に回動操作したり左右方向に回動操作するが、レバーが本体からどのような方向を向いていれば操作がしやすいかは、使用者によって異なるものであり、予め取り付けられている水栓のレバーの装着状態が使用者に合わないとレバーの操作性が悪く、操作性の悪い状態のまま水栓を使用し続けなくてはならないといった問題があった。
【０００４】
【発明が解決しようとする課題】
本発明が解決しようとする課題は、洗面台又は流し台等で使用し、レバーの操作で湯水の流量及び温度を調節するシングルレバー式水栓において、レバーの操作性の向上を図るものである。
【０００５】
【課題を解決するための手段】
本発明は請求項１では、洗面台又は流し台等で使用し、レバーの操作で湯水の流量及び温度を調節するシングルレバー式水栓において、前記レバーは水栓の本体に装着する基部と、使用者が操作する際に摘むための操作部と、基部に対し操作部を回動自在に連結する接続部材とを備えたものである。
【０００６】
請求項２では、前記レバーの接続部材は、基部に装着した保持シートに密着し、操作部を結合した球体と、この球体を回動自在に連結するキャップと、球体とキャップの間に収納されるリングとを備え、操作部は基部に対し適宜の位置で保持されるものである。
【０００７】
【発明の実施の形態】
以下、本発明の実施の形態を図に基づいて詳細に説明する。本発明は図１に示すように、シングルレバー式の水栓１は洗面台や流し台の天板Ａに取り付けられ、天板Ａの上部に垂直方向に固定された本体２には、湯水を吐水する吐水口４が先端に設けられた吐水管３を回転自在に装着し、本体２の上端に湯水の流量及び温度を調節するレバー５を装着し、このレバー５を上下方向に回動操作することによって、吐水口４から天板ＡのボウルＢへ向けて吐水される湯水の吐水，止水及び流量調節を行ない、左右方向に回動操作することによって、湯水の温度調節を行なうものである。
【０００８】
前記レバー５は、本体２の上部に装着される基部６と、この基部６の先端に連結され、使用者が操作をする際に摘むための操作部１１と、基部６に対し操作部１１を回動自在に連結する接続部材１３とを備えている。
【０００９】
図２はレバー５の基部６と操作部１１を接続部材１３により回動自在に連結する構造図であり、基部６の前部は略円筒状で、先端には外径を小径とした保持部７が膨出し、この保持部７は凹部８を軸中心方向の環状に開口し、また保持部７の外周面には雄ねじ部９が刻設されており、凹部８の底面全体には弾性力を備えた保持シート１０が装着されている。接続部材１３は、前記保持部７の凹部８に収納され、その外周面が保持シート１０を弾力的に押圧する球体１４と、基部６の先端外周面に形成された雄ねじ部９に締結する雌ねじ部１６が刻設されたキャップ１５と、このキャップ１５と球体１４の間に収納され、球体１４を保持シート１０に向けて押圧するリング１７とからなる。
【００１０】
前記球体１４にはレバー５の操作部１１に形成された軸１２が結合しており、この操作部１１の外観形状は任意であり、基部６を握って保持した状態で操作部１１を回動させると、球体１４は操作部１１と共に回動自在である。また、キャップ１５の雄ねじ部９に対する螺合量を調節し、リング１７に対する締結力を調節すれば、リング１７の球体１４に対する密着度が調節され、操作部１１の基部６に対する連結方向を調節するために、操作部１１を基部６に対して軽い操作力で回動させたり、操作部１１を基部６に強く連結して保持し、操作部１１を操作すれば操作部１１のみが回動するのではなく、基部６も一体に回動するようにしている。なお、レバーの基部と操作部を回動自在に連結する接続部材の構造は、本実施例はあくまで一例示であり、様々な形態に変更可能である。
【００１１】
以上の構成からなる水栓では、レバー５は操作部１１を基部６に対し回動自在に連結したので、図１に示すように止水状態では操作部１１を基部６と同一軸線で天板Ａと水平方向としたり、図３に示すように基部６に対し操作部１１を球体１４を中心として回動させ、操作部１１を下方に向けて傾斜させたり、図４に示すように平板状の操作部１１を右側が下傾するように傾けたり、使用者が最も操作しやすいように、操作部１１の基部６に対する連結方向を自由に調節することができる。
【００１２】
このように本発明では、シングルレバー式水栓のレバーは使用者が操作しやすいように操作部の向きを何れの方向にも回動させることができ、しかもその連結状態で保持することができるので、極めて快適に使用できるものである。
【００１３】
本発明のシングルレバー式水栓は、レバーは基部に対し使用者が操作する際に摘むための操作部が回動自在であるので、使用者が最も操作しやすいように操作部の方向を任意に変更することができ、操作性を大幅に向上させることができる。
【図面の簡単な説明】
【図１】本発明のレバーを備えたシングルレバー式水栓を天板に固定した状態の説明図である。
【図２】レバーの基部と操作部を接続部材により回動自在に連結した構造の断面図である。
【図３】図１のシングルレバー式水栓において、操作部を基部に対し下方に回動させた状態の説明図である。
【図４】図１のレバーにおいて、操作部を基部に対し右側に傾けた状態の説明図である。
【図５】従来技術の説明図である。
【符号の説明】
１                水栓
２                本体
５                レバー
６                基部
１０              保持シート
１１              操作部
１３              接続部材
１４              球体
１５              キャップ
１７              リング
【図１】
0004015430.tif 000002
【図２】
0004015430.tif 000003
【図３】
0004015430.tif 000004
【図４】
0004015430.tif 000005
【図５】
0004015430.tif 000006